【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
閲覧プログラムと、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、を含んで構成され、ネットワーク通信手段を備えたコンピュータのモニタ画面上で閲覧される電子チラシであって、
前記閲覧プログラムは、
前記参照リストに基づき取扱商品ごとにリンクエリアを定義し、
前記紙面データおよび前記リンクエリアを電子チラシとして表示し、
前記リンクエリアが選択されたときは関係付けられたＵＲＬにより前記ＥＣサイトの管理サーバにアクセスし、
さらに、前記ＥＣサイトの管理サーバへの前回アクセス時間から所定の時間を経過後に対話入力イベントを受けたときは前記ＥＣサイト情報反映プログラムを実行させるプログラムである
ことを特徴とする電子チラシ。
【請求項２】
前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることを特徴とする請求項１に記載の電子チラシ。
【請求項３】
前記ＥＣサイト情報反映プログラムは、前記ＥＣサイトの管理サーバが保持する価格変更の予約情報を取得し、前記リンクエリアの領域または周辺に、価格変更までの時間または価格変更済を示すオブジェクトを表示するものであることを特徴とする請求項１に記載の電子チラシ。
【請求項４】
前記ＥＣサイト情報反映プログラムは、前記ＥＣサイトの管理サーバが保持する商品の在庫情報を取得し、前記リンクエリアの領域または周辺に、商品の在庫数を示すオブジェクトを表示するものであることを特徴とする請求項１に記載の電子チラシ。
【請求項５】
前記ＥＣサイト情報反映プログラムは、当該電子チラシを閲覧しているユーザを識別し、前記ユーザに応じた情報を前記ＥＣサイトの管理サーバから取得することを特徴とする請求項１に記載の電子チラシ。
【請求項６】
前記ＥＣサイト情報反映プログラムは、当該電子チラシを閲覧しているユーザが小売店販売担当者の場合には、前記ＥＣサイトの管理サーバが保持する売上情報、在庫・発注状況情報、前年成績情報の少なくとも一つを、前記リンクエリアの領域または周辺に表示するものであることを特徴とする請求項１に記載の電子チラシ。
【請求項７】
紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧する電子チラシ閲覧装置であって、
ネットワーク通信手段と、表示手段と、チラシ閲覧手段と、を備え、
前記チラシ閲覧手段は、
前記参照リストに基づき取扱商品ごとにリンクエリアを定義し、
前記紙面データおよび前記リンクエリアを電子チラシとして表示し、
前記リンクエリアが選択されたときは関係付けられたＵＲＬにより前記ＥＣサイトの管理サーバにアクセスし、
さらに、前記ＥＣサイトの管理サーバへの前回アクセス時間から所定の時間を経過後に対話入力イベントを受けたときは前記ＥＣサイト情報反映プログラムを実行させることを特徴とする電子チラシ閲覧装置。
【請求項８】
前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることを特徴とする請求項７に記載の電子チラシ閲覧装置。
【請求項９】
紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧可能な端末と、前記電子チラシを配信する電子チラシ配信サーバと、ＥＣサイトを管理するＥＣサイト管理サーバとがネットワークを介して接続される電子チラシシステムであって、
前記電子チラシ配信サーバは、前記電子チラシを前記端末に配信する配信手段、を具備し、
前記ＥＣサイト管理サーバは、前記端末からの要求に従って、自らが保持する情報を前記端末に送信する送信手段、を具備し、
前記端末は、
前記参照リストに基づき取扱商品ごとにリンクエリアを定義し、
前記紙面データおよび前記リンクエリアを電子チラシとして表示し、
前記リンクエリアが選択されたときは関係付けられたＵＲＬにより前記ＥＣサイトの管理サーバにアクセスし、
さらに、前記ＥＣサイトの管理サーバへの前回アクセス時間から所定の時間を経過後に対話入力イベントを受けたときは前記ＥＣサイト情報反映プログラムを実行させるチラシ閲覧手段、
を具備することを特徴とする電子チラシシステム。
【請求項１０】
ＤＴＰ編集データと、取扱商品を識別する情報と商品購入ページのＵＲＬを対応付けたリンク情報リストと、から、チラシを表示するための画像データである紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、を含む電子チラシを制作する電子チラシ制作装置であって、
前記ＤＴＰ編集データを読み込み前記紙面データに変換する紙面データ変換手段と、
取扱商品を一意に識別する商品識別情報を示す商品識別オブジェクトの検索条件を指定し、前記商品識別オブジェクトの紙面上の位置座標を抽出して位置座標リストを作成する位置座標リスト作成手段と、
前記リンク情報リストと前記位置座標リストを参照して前記参照リストを作成する参照リスト作成手段と、
を具備することを特徴とする電子チラシ制作装置。
【手続補正２】
【補正対象書類名】明細書
【補正対象項目名】００１０
【補正方法】変更
【補正の内容】
【００１０】
本発明は、前述した問題点に鑑みてなされたもので、その目的とすることは、ＥＣサイトと連携し、販促効果の高い電子チラシ等を提供することである。また、商品ごとに既存のＥＣサイトの商品購入ページへのリンクが設定された電子チラシを短時間で正確に制作することができる電子チラシ制作装置等を提供することである。
【手続補正３】
【補正対象書類名】明細書
【補正対象項目名】００１１
【補正方法】変更
【補正の内容】
【００１１】
前述した目的を達成するために第１の発明は、閲覧プログラムと、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、を含んで構成され、ネットワーク通信手段を備えたコンピュータのモニタ画面上で閲覧される電子チラシであって、前記閲覧プログラムは、前記参照リストに基づき取扱商品ごとにリンクエリアを定義し、前記紙面データおよび前記リンクエリアを電子チラシとして表示し、前記リンクエリアが選択されたときは関係付けられたＵＲＬにより前記ＥＣサイトの管理サーバにアクセスし、さらに、前記ＥＣサイトの管理サーバへの前回アクセス時間から所定の時間を経過後に対話入力イベントを受けたときは前記ＥＣサイト情報反映プログラムを実行させるプログラムであることを特徴とする電子チラシである。第１の発明の電子チラシによって、ＥＣサイトと連携し、高い販促効果を得ることができる。

【手続補正４】
【補正対象書類名】明細書
【補正対象項目名】００１２
【補正方法】変更
【補正の内容】
【００１２】
第１の発明における前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることが望ましい。これによって、ユーザは電子チラシ上で既に購入した商品の一覧を確認することができるので、商品を購入するたびに電子チラシを繰り返し確認するようになり、高い販促効果を得られる。

【手続補正５】
【補正対象書類名】明細書
【補正対象項目名】００１３
【補正方法】変更
【補正の内容】
【００１３】
第１の発明における前記ＥＣサイト情報反映プログラムは、前記ＥＣサイトの管理サーバが保持する価格変更の予約情報を取得し、前記リンクエリアの領域または周辺に、価格変更までの時間または価格変更済を示すオブジェクトを表示するものであることが望ましい。これによって、特価販売がいつ終わるのか、また既に終わってしまったのかをユーザに知らせることができ、ユーザが価格を勘違いして購入することを防ぐことができる。
【手続補正６】
【補正対象書類名】明細書
【補正対象項目名】００１４
【補正方法】変更
【補正の内容】
【００１４】
第１の発明における前記ＥＣサイト情報反映プログラムは、前記ＥＣサイトの管理サーバが保持する商品の在庫情報を取得し、前記リンクエリアの領域または周辺に、商品の在庫数を示すオブジェクトを表示するものであることが望ましい。これによって、電子チラシにおいて一覧形式でユーザに在庫数を知らせることができるので、ユーザは残り少ない商品から商品購入ページを確認し、購入機会の喪失を防ぐことができる。
【手続補正７】
【補正対象書類名】明細書
【補正対象項目名】００１５
【補正方法】変更
【補正の内容】
【００１５】
第１の発明における前記ＥＣサイト情報反映プログラムは、当該電子チラシを閲覧しているユーザを識別し、前記ユーザに応じた情報を前記ＥＣサイトの管理サーバから取得することが望ましい。これによって、ユーザごとに適切な情報を電子チラシに反映することができる。
【手続補正８】
【補正対象書類名】明細書
【補正対象項目名】００１６
【補正方法】変更
【補正の内容】
【００１６】
第１の発明における前記ＥＣサイト情報反映プログラムは、当該電子チラシを閲覧しているユーザが小売店販売担当者の場合には、前記ＥＣサイトの管理サーバが保持する売上情報、在庫・発注状況情報、前年成績情報の少なくとも一つを、前記リンクエリアの領域または周辺に表示するものであることが望ましい。これによって、小売店販売担当者は、電子チラシの広告効果を電子チラシ上で直接確認することができる。
【手続補正９】
【補正対象書類名】明細書
【補正対象項目名】００１７
【補正方法】変更
【補正の内容】
【００１７】
第２の発明は、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧する電子チラシ閲覧装置であって、ネットワーク通信手段と、表示手段と、チラシ閲覧手段と、を備え、前記チラシ閲覧手段は、前記参照リストに基づき取扱商品ごとにリンクエリアを定義し、前記紙面データおよび前記リンクエリアを電子チラシとして表示し、前記リンクエリアが選択されたときは関係付けられたＵＲＬにより前記ＥＣサイトの管理サーバにアクセスし、さらに、前記ＥＣサイトの管理サーバへの前回アクセス時間から所定の時間を経過後に対話入力イベントを受けたときは前記ＥＣサイト情報反映プログラムを実行させることを特徴とする電子チラシ閲覧装置である。第２の発明の電子チラシ閲覧装置によって、ＥＣサイトと連携し、高い販促効果を得ることができる。
【手続補正１０】
【補正対象書類名】明細書
【補正対象項目名】００１８
【補正方法】変更
【補正の内容】
【００１８】
前記第２の発明における前記ＥＣサイト情報反映プログラムは、前記ＥＣサイトの管理サーバが保持する当該電子チラシを閲覧しているユーザのショッピングカート情報を取得し、前記ショッピングカートに登録されている商品に対応する前記リンクエリアの領域または周辺に、登録済を示すオブジェクトを表示するものであることが望ましい。これによって、ユーザは電子チラシ上で既に購入した商品の一覧を確認することができるので、商品を購入するたびに電子チラシを繰り返し確認するようになり、高い販促効果を得られる。
【手続補正１１】
【補正対象書類名】明細書
【補正対象項目名】００１９
【補正方法】変更
【補正の内容】
【００１９】
第３の発明は、紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、前記ＥＣサイトの管理サーバにアクセスし所定の情報を取得するＥＣサイト情報反映プログラムと、から構成される電子チラシを閲覧可能な端末と、前記電子チラシを配信する電子チラシ配信サーバと、ＥＣサイトを管理するＥＣサイト管理サーバとがネットワークを介して接続される電子チラシシステムであって、前記電子チラシ配信サーバは、前記電子チラシを前記端末に配信する配信手段、を具備し、前記ＥＣサイト管理サーバは、前記端末からの要求に従って、自らが保持する情報を前記端末に送信する送信手段、を具備し、前記端末は、前記参照リストに基づき取扱商品ごとにリンクエリアを定義し、前記紙面データおよび前記リンクエリアを電子チラシとして表示し、前記リンクエリアが選択されたときは関係付けられたＵＲＬにより前記ＥＣサイトの管理サーバにアクセスし、さらに、前記ＥＣサイトの管理サーバへの前回アクセス時間から所定の時間を経過後に対話入力イベントを受けたときは前記ＥＣサイト情報反映プログラムを実行させるチラシ閲覧手段、を具備することを特徴とする電子チラシシステムである。第３の発明の電子チラシシステムによって、ＥＣサイトと連携し、高い販促効果を得ることができる。
【手続補正１２】
【補正対象書類名】明細書
【補正対象項目名】００２０
【補正方法】変更
【補正の内容】
【００２０】
第４の発明は、ＤＴＰ編集データと、取扱商品を識別する情報と商品購入ページのＵＲＬを対応付けたリンク情報リストと、から、チラシを表示するための画像データである紙面データと、取扱商品ごとに商品を特定する識別情報、紙面上の位置情報、ＥＣサイトの管理サーバ上の１つのリソースを指定するＵＲＬ、の３種類の情報を関係付けた参照リストと、を含む電子チラシを制作する電子チラシ制作装置であって、前記ＤＴＰ編集データを読み込み前記紙面データに変換する紙面データ変換手段と、取扱商品を一意に識別する商品識別情報を示す商品識別オブジェクトの検索条件を指定し、前記商品識別オブジェクトの紙面上の位置座標を抽出して位置座標リストを作成する位置座標リスト作成手段と、前記リンク情報リストと前記位置座標リストを参照して前記参照リストを作成する参照リスト作成手段と、を具備することを特徴とする電子チラシ制作装置である。第４の発明によって、取扱商品ごとに既存のＥＣサイトの商品購入ページへのリンクが設定された電子チラシを短時間で正確に制作することができる。
【手続補正１３】
【補正対象書類名】明細書
【補正対象項目名】００２１
【補正方法】変更
【補正の内容】
【００２１】
本発明により、ＥＣサイトと連携し、販促効果の高い電子チラシ等を提供することができる。また、商品ごとに既存のＥＣサイトの商品購入ページへのリンクが設定された電子チラシを短時間で正確に制作することができる電子チラシ制作装置等を提供することができる。